(57)【要約】検知された不具合に応じて空気調和システムを異なる形式で表現したシステム系統図を生成し、このシステム系統図を用いて不具合を表示することによって、多様な不具合を視認性高く表現することが可能な空気調和システム診断装置及び空気調和システム診断結果表示装置を得る。システム系統分析手段１６０によって導出されたシステム系統情報に基づいて、室外機１０ａ及び室内機１０ｂ等のアイコン並びにそれらを結ぶ線によって構成されるシステム系統図を生成して、冷凍サイクル解析手段１３１によって導出された冷凍サイクル診断結果を、システム系統図において関連する機器のアイコン近傍に重畳する診断結果重畳図生成手段１７０を有する。
2010143340.tif 000002
【特許請求の範囲】
【請求項１】
複数の機器がネットワークによって接続され、関連する前記機器同士が前記ネットワークを介して制御信号等を送受信する空気調和システムにおいて、前記ネットワークを介して前記機器との通信を実施する通信手段と、
前記機器の種別を示す機器種別を認識する機器種別認識手段と、
前記制御信号等の通信元及び通信先である前記機器の組み合わせによって構成される通信リストを生成する通信リスト生成手段と、
前記機器種別及び前記通信リストから前記空気調和システムの機器構成を表すシステム系統情報を導出するシステム系統分析手段と、
前記通信手段を介して取得した情報から前記空気調和システムの診断を実施し診断結果を導出するシステム診断手段と、
前記システム系統分析手段から取得した前記システム系統情報に基づいてシステム系統図を生成し、該システム系統図に対して前記診断結果の内容を強調して重畳する診断結果重畳図生成手段と、
該診断結果重畳図生成手段から前記診断結果の内容が重畳された前記システム系統図を取得して表示する表示器と、
を備えた
ことを特徴とする空気調和システム診断装置。
【請求項２】
前記機器は、前記制御信号等の通信先機器のリストである通信先機器リストを有し、
前記通信リスト生成手段は、前記機器から前記通信手段を介して前記通信先機器リストを取得し、該通信先機器リストに基づいて前記通信リストを生成する
ことを特徴とする請求項１記載の空気調和システム診断装置。
【請求項３】
前記通信リスト生成手段は、前記ネットワークから前記通信手段を介して取得した通信の送信元情報及び送信先情報に基づいて前記通信リストを生成する
ことを特徴とする請求項１記載の空気調和システム診断装置。
【請求項４】
前記機器は、前記機器種別を有し、
前記機器種別認識手段は、前記機器から前記通信手段を介して前記機器種別を取得する
ことを特徴とする請求項１〜請求項３のいずれかに記載の空気調和システム診断装置。
【請求項５】
前記機器種別認識手段は、前記通信リスト生成手段から前記通信リストを取得し、該通信リスト及び該通信リストで示される各通信の頻度の組み合わせに基づいて前記機器種別を推定する
ことを特徴とする請求項１〜請求項３のいずれかに記載の空気調和システム診断装置。
【請求項６】
前記機器種別認識手段は、前記通信リスト生成手段から前記通信リストを取得し、該通信リスト及び前記ネットワークから前記通信手段を介して取得した通信電文に基づいて前記機器種別を推定する
ことを特徴とする請求項１〜請求項３のいずれかに記載の空気調和システム診断装置。
【請求項７】
前記診断結果重畳図生成手段は、
機器間主要接続決定ルールを有し、
前記システム系統情報から、前記機器を前記機器種別毎に異なるアイコンで表し、前記制御信号等の送受信がある前記機器のうち、前記機器間主要接続決定ルールに基づいて主要な前記機器を選択し、該機器間を線で結合して前記システム系統図を生成する
ことを特徴とする請求項１〜請求項６のいずれかに記載の空気調和システム診断装置。
【請求項８】
前記機器から前記通信手段を介して、前記機器の冷凍サイクルにおける冷媒温度値又は冷媒圧力値等の運転情報を取得する運転情報取得手段を備え、
前記システム診断手段は、
前記運転情報取得手段から前記運転情報を取得し、
前記冷凍サイクルについて、前記運転情報に基づいて冷媒温度及び冷媒圧力等の異常の有無を診断して前記冷凍サイクルの不具合の有無を検出し、前記診断結果として冷凍サイクル診断結果を導出する冷凍サイクル解析手段を有する
ことを特徴とする請求項１〜請求項７のいずれかに記載の空気調和システム診断装置。
【請求項９】
前記冷凍サイクルにおける過去の冷媒温度値又は冷媒圧力値等の事前運転情報を記憶する事前運転情報記憶手段を備え、
前記冷凍サイクル解析手段は、前記事前運転情報と前記運転情報との変化に基づいて、前記冷凍サイクル診断結果を導出する
ことを特徴とする請求項８記載の空気調和システム診断装置。
【請求項１０】
前記診断結果重畳図生成手段は、
前記システム診断手段から前記冷凍サイクル診断結果を取得し、
前記システム系統図に対し、前記冷凍サイクル診断結果に基づいて、前記冷凍サイクルにおいて不具合が検出された室内機、室外機と、同一の冷媒配管で結合された前記室内機、前記室外機及びそれらを結合する冷媒配管について強調したものを重畳する
ことを特徴とする請求項８又は請求項９記載の空気調和システム診断装置。
【請求項１１】
前記ネットワークから前記通信手段を介して前記機器間で実施される通信の通信電文を取得する通信電文取得手段を備え、
前記システム診断手段は、
前記通信電文取得手段から前記通信電文を取得し、
前記通信電文から前記ネットワークの不具合の有無を検出し、前記診断結果としてネットワーク診断結果を導出する通信電文解析手段を有する
ことを特徴とする請求項１〜請求項７のいずれかに記載の空気調和システム診断装置。
【請求項１２】
前記通信電文解析手段は、前記通信電文と、前記機器間での通信において用いられる通信プロトコルによって規定された電文フォーマットとの差異によって前記ネットワークの不具合の有無を検出して前記ネットワーク診断結果を導出する
ことを特徴とする請求項１１記載の空気調和システム診断装置。
【請求項１３】
前記通信電文解析手段は、
前記通信電文についての正常テンプレート及び異常テンプレートを有し、
前記通信電文と、前記正常テンプレート及び前記異常テンプレートとの類似度を導出し、
前記異常テンプレートに係る前記類似度が所定の閾値以上、又は、前記異常テンプレートに係る前記類似度が前記正常テンプレートに係る前記類似度よりも大きい場合に前記ネットワークについて不具合有りとする前記ネットワーク診断結果を導出する
ことを特徴とする請求項１１記載の空気調和システム診断装置。
【請求項１４】
前記ネットワークから前記通信手段を介して前記機器間で実施される通信の通信波形を取得する通信波形取得手段を備え、
前記システム診断手段は、
前記通信波形取得手段から前記通信波形を取得し、
前記通信波形と所定の適正波形との差異によって前記ネットワークの不具合の有無を検出し、前記診断結果としてネットワーク診断結果を導出する通信波形解析手段を有する
ことを特徴とする請求項１〜請求項７のいずれかに記載の空気調和システム診断装置。
【請求項１５】
前記診断結果重畳図生成手段は、
前記システム系統情報に基づいて、前記通信リストにあるすべての前記機器間を結合して表現した前記システム系統図を生成し、
前記システム診断手段から前記ネットワーク診断結果を取得し、
前記システム系統図に対し、前記ネットワーク診断結果に基づいて、前記ネットワークの不具合の有無に関連する前記機器又は前記機器を結合する結合線等を強調したものを重畳する
ことを特徴とする請求項１１〜請求項１４のいずれかに記載の空気調和システム診断装置。
【請求項１６】
前記空気調和システムにおける過去の機器構成を表す事前システム系統情報を記憶する事前システム系統記憶手段を備え、
前記システム診断手段は、
前記事前システム系統記憶手段から前記事前システム系統情報を取得し、
前記システム系統情報と前記事前システム系統情報とを比較して前記空気調和システムのシステム構成の不具合の有無を検出し、前記診断結果としてシステム構成診断結果を導出するシステム構成解析手段を有する
ことを特徴とする請求項１〜請求項７のいずれかに記載の空気調和システム診断装置。
【請求項１７】
前記診断結果重畳図生成手段は、
前記システム診断手段から前記システム構成診断結果を取得し、
前記システム系統図に対し、前記システム系統情報、及び、前記事前システム系統情報の内容を含有する前記システム構成診断結果の双方に含まれる前記システム構成における前記機器、前記システム構成診断結果のみに含まれる前記システム構成における前記機器、並びに、前記システム系統情報のみに含まれる前記システム構成における前記機器について、それぞれ表現の態様を変えたものを重畳する
ことを特徴とする請求項１６記載の空気調和システム診断装置。
【請求項１８】
前記通信リスト生成手段は、前記機器の組み合わせとして該機器が有する機器ＩＤの組み合わせによって構成される前記通信リストを生成し、
前記システム診断手段は、
前記通信リスト生成手段から前記通信リストを取得し、
該通信リストから前記機器ＩＤの設定不具合等の有無を検出し、前記診断結果として機器設定診断結果を導出する機器設定解析手段を有する
ことを特徴とする請求項１〜請求項７のいずれかに記載の空気調和システム診断装置。
【請求項１９】
前記診断結果重畳図生成手段は、
前記システム診断手段から前記機器設定診断結果を取得し、
前記システム系統情報に基づいて、前記機器毎に前記機器ＩＤを付与した前記システム系統図を生成し、
該システム系統図に対し、前記機器設定診断結果を重畳する
ことを特徴とする請求項１８記載の空気調和システム診断装置。
【請求項２０】
前記診断結果重畳図生成手段は、前記システム系統情報に基づいて、前記機器ＩＤが付与された前記機器を、前記機器ＩＤ順に並べて構成された前記システム系統図を生成する
ことを特徴とする請求項１９記載の空気調和システム診断装置。
【請求項２１】
前記機器から前記通信手段を介して前記機器の冷凍サイクルにおける冷媒温度値又は冷媒圧力値等の運転情報を取得する運転情報取得手段、前記ネットワークから前記通信手段を介して前記機器間で実施される通信の通信電文を取得する通信電文取得手段、前記ネットワークから前記通信手段を介して前記機器間で実施される通信の通信波形を取得する通信波形取得手段、前記空気調和システムにおける過去の機器構成を表す事前システム系統情報を記憶する事前システム系統記憶手段、及び、前記機器の組み合わせとして該機器が有する機器ＩＤの組み合わせによって構成される前記通信リストを生成する前記通信リスト生成手段のうち、いずれか複数の手段を備え、
前記運転情報取得手段を備える場合、前記システム診断手段は、前記運転情報取得手段から前記運転情報を取得し、前記冷凍サイクルについて、前記運転情報に基づいて冷媒温度及び冷媒圧力等の異常の有無を診断して前記冷凍サイクルの不具合の有無を検出し、前記診断結果として冷凍サイクル診断結果を導出する冷凍サイクル解析手段を有し、
前記通信電文取得手段を備える場合、前記システム診断手段は、前記通信電文取得手段から前記通信電文を取得し、前記通信電文から前記ネットワークの不具合の有無を検出し、前記診断結果としてネットワーク診断結果を導出する通信電文解析手段を有し、
前記通信波形取得手段を備える場合、前記システム診断手段は、前記通信波形取得手段から前記通信波形を取得し、前記通信波形と所定の適正波形との差異によって前記ネットワークの不具合の有無を検出し、前記診断結果としてネットワーク診断結果を導出する通信波形解析手段を有し、
前記事前システム系統記憶手段を備える場合、前記事前システム系統記憶手段から前記事前システム系統情報を取得し、前記システム系統情報と前記事前システム系統情報とを比較して前記空気調和システムのシステム構成の不具合の有無を検出し、前記診断結果としてシステム構成診断結果を導出するシステム構成解析手段を有し、
前記通信リスト生成手段が、前記機器の組み合わせとして該機器が有する機器ＩＤの組み合わせによって構成される前記通信リストを生成する場合、前記システム診断手段は、前記通信リスト生成手段から前記通信リストを取得し、該通信リストから前記機器ＩＤの設定不具合等の有無を検出し、前記診断結果として機器設定診断結果を導出する機器設定解析手段を有し、
前記診断結果重畳図生成手段は、前記診断結果のいずれにおいても不具合がないとした場合の前記システム系統図に対し、前記診断結果のいずれかに不具合があるとした場合のその不具合を表す情報の全てを追加の描画要素として重畳して表示する図を生成する
ことを特徴とする請求項１〜請求項７のいずれかに記載の空気調和システム診断装置。
【請求項２２】
前記診断結果重畳図生成手段が前記システム系統図に対して重畳して表示する前記不具合を表す情報は、選択可能である
ことを特徴とする請求項２１記載の空気調和システム診断装置。
【請求項２３】
前記機器種別及び前記通信リストを記憶している記憶手段を備え、
前記機器種別認識手段は、前記記憶手段から前記機器種別を取得し、
前記通信リスト生成手段は、前記記憶手段から前記通信リストを取得する
ことを特徴とする請求項１〜請求項２２のいずれかに記載の空気調和システム診断装置。
【請求項２４】
前記運転情報を記憶している記憶手段を備え、
前記システム診断手段は、前記記憶手段から前記運転情報を取得する
ことを特徴とする請求項８〜請求項１０のいずれかに記載の空気調和システム診断装置。
【請求項２５】
前記通信電文を記憶している記憶手段を備え、
前記システム診断手段は、前記記憶手段から前記通信電文を取得する
ことを特徴とする請求項１１〜請求項１３のいずれかに記載の空気調和システム診断装置。
【請求項２６】
前記通信波形を記憶している記憶手段を備え、
前記システム診断手段は、前記記憶手段から前記通信波形を取得する
ことを特徴とする請求項１４記載の空気調和システム診断装置。
【請求項２７】
前記診断結果を記憶している記憶手段を備え、
前記診断結果重畳図生成手段は、前記記憶装置から前記診断結果を取得する
ことを特徴とする請求項１〜請求項２６のいずれかに記載の空気調和システム診断装置。
【請求項２８】
前記システム系統情報を記憶している記憶手段を備え、
前記診断結果重畳図生成手段は、前記記憶装置から前記システム系統情報を取得する
ことを特徴とする請求項１〜請求項２７のいずれかに記載の空気調和システム診断装置。
【請求項２９】
複数の機器によって構成される空気調和システムにおいて、該空気調和システムの診断結果を保持するシステム診断結果保持手段と、
該システム診断結果保持手段から前記診断結果を取得し、前記診断結果に関連する情報を強調して前記空気調和システムを表現した模式図を生成し、該模式図に前記診断結果を重畳する診断結果重畳図生成手段と、
該診断結果重畳図生成手段から前記診断結果が重畳された前記模式図を取得して表示する表示器と、
を備えた
ことを特徴とする空気調和システム診断結果表示装置。
【発明の詳細な説明】
【技術分野】
【０００１】
本発明は、複数の空気調和機が冷媒配管及び汎用ネットワークによって接続されている空気調和システムについて診断を実施し、その診断結果を表示する空気調和システム診断装置及び空気調和システム診断結果表示装置に関するものである。
【背景技術】
【０００２】
従来、空気調和システムの冷媒系統又は機種情報を設計又は設置時の情報と比較することによって、不具合を検出し、空気調和システムの機器構成を表した図(以下、システム系統図という）によって表現する空調機設置工事支援装置が提案されている（例えば、特許文献１参照）。
また、このシステム系統図については、各室内機に接続している室外機又はリモコンに問い合わせることにより、自動で機器構成を取得してシステム系統図を生成する空気調和システムの集中管理装置が提案されている（例えば、特許文献２参照）。
【先行技術文献】
【特許文献】
【０００３】
【特許文献１】特開２００７−４６８２２号公報（第２０−２１頁、図２０）
【特許文献２】特開２００２−１２２３４５号公報（第１−２頁、図１）
【発明の概要】
【発明の解決しようとする課題】
【０００４】
しかしながら、空気調和システムの不具合を総合的に扱う診断装置においては、機器を接続するネットワークに関する不具合及び空調機で構成される冷凍サイクルに関する不具合等、様々な不具合を表示することが求められる。そのため、システム系統図において機器構成、通信関係及び冷媒系統等、多様な情報を描写することが必要となり、そのシステム系統図の煩雑さによって不具合の視認性が低くなるという問題があった。
【０００５】
本発明は、上述の課題を解決するためになされたもので、検知された不具合に応じて空気調和システムを異なる形式で表現したシステム系統図を生成し、このシステム系統図を用いて不具合を表示することによって、多様な不具合を視認性高く表現することが可能な空気調和システム診断装置及び空気調和システム診断結果表示装置を提供することを目的とする。
【課題を解決するための手段】
【０００６】
本発明に係る空気調和システム診断装置は、複数の機器がネットワークによって接続され、関連する前記機器同士が前記ネットワークを介して制御信号等を送受信する空気調和システムにおいて、前記ネットワークを介して前記機器との通信を実施する通信手段と、前記機器の種別を示す機器種別を認識する機器種別認識手段と、前記制御信号等の通信元及び通信先の前記機器の組み合わせによって構成される通信リストを生成する通信リスト生成手段と、前記機器種別及び前記通信リストから前記空気調和システムの機器構成を表すシステム系統情報を導出するシステム系統分析手段と、前記通信手段を介して取得した情報から前記空気調和システムの診断を実施し診断結果を導出するシステム診断手段と、前記システム系統分析手段から取得した前記システム系統情報に基づいてシステム系統図を生成し、該システム系統図に対して前記診断結果の内容を強調して重畳する診断結果重畳図生成手段と、該診断結果重畳図生成手段から前記診断結果の内容が重畳された前記システム系統図を取得して表示する表示器と、を備えたことを特徴とする。
【発明の効果】
【０００７】
本発明に係る空気調和システム診断装置によれば、空気調和システムを表現するシステム系統図に、その空気調和システムの診断結果を重畳して表示するため、その診断結果と空気調和システムとの対応関係が容易に視認することができ、かつ、これによって速やかに不具合に対する対応をとることができ、不具合を早期に解決することができる。
【図面の簡単な説明】
【０００８】
【図１】本発明の実施の形態１に係る空気調和システム診断装置１００の内部ブロック及び空気調和システムの全体構成を示す図である。
【図２】本発明の実施の形態１に係る空気調和システムにおける室外機１０ａ及び室内機１０ｂの内部ブロック図である。
【図３】本発明の実施の形態１に係る空気調和システム診断装置１００の処理を示すフローチャートである。
【図４】本発明の実施の形態１に係る空気調和システム診断装置１００の表示パネル１８１に表示される主要な機器間を線で結合したシステム系統図を示す図である。
【図５】表示パネル１８１に表示される各機器間を接続する冷媒系統を強調表示した図である。
【図６】通信の送信元情報及び送信先情報に基づいて通信リストを生成する動作を示す図である。
【図７】本発明の実施の形態２に係る空気調和システム診断装置１００の内部ブロック及び空気調和システムの全体構成を示す図である。
【図８】通信電文との類似度を導出するための正常テンプレート及び異常テンプレートの例を示す図である。
【図９】本発明の実施の形態２に係る空気調和システム診断装置１００の表示パネル１８１に表示され、各機器において制御信号の送受信があるものを線で結合して示したシステム系統図を示す図である。
【図１０】本発明の実施の形態３に係る空気調和システム診断装置１００の内部ブロック及び空気調和システムの全体構成を示す図である。
【図１１】本発明の実施の形態４に係る空気調和システム診断装置１００の内部ブロック及び空気調和システムの全体構成を示す図である。
【図１２】本発明の実施の形態４に係る空気調和システム診断装置１００の表示パネル１８１に表示され、過去のシステム構成と現在のシステム構成とを区別して示したシステム系統図を示す図である。
【図１３】本発明の実施の形態５に係る空気調和システム診断装置１００の内部ブロック及び空気調和システムの全体構成を示す図である。
【図１４】本発明の実施の形態２に係る空気調和システム診断装置１００の表示パネル１８１に表示され、機器ＩＤが付与された各機器を線で結合して示したシステム系統図を示す図である。
【図１５】本発明の実施の形態６に係る空気調和システム診断装置１００の表示パネル１８１に表示され、複数の種類の不具合を重畳して示したシステム系統図を示す図である。
【図１６】本発明の実施の形態７に係る空気調和システム診断結果表示装置３００の構成を示すブロック図である。
【図１７】本発明の実施の形態７に係る空気調和システム診断結果表示装置３００の表示パネル１８１に表示されるシステム系統図を示す図の例である。
【発明を実施するための形態】
【０００９】
実施の形態１．
（空気調和システム診断装置１００の構成）
図１は、本発明の実施の形態１に係る空気調和システム診断装置１００の内部ブロック及び空気調和システムの全体構成を示す図である。
図１で示されるように、少なくとも室外機１０ａ、及び、１つ又は複数の室内機１０ｂによって構成される空気調和機１０が、ネットワーク２０に複数接続されている。また、空気調和システムの不具合の診断を実施する空気調和システム診断装置１００が、ネットワーク２０に接続されている。
なお、図１においては、複数の空気調和機１０がネットワーク２０に接続される構成が示されているが、これに限られるものではなく、１つの空気調和機１０が接続されるものとしてもよい。
【００１０】
空気調和システム診断装置１００は、少なくとも、下記の（１）〜（４）の構成要素群によって構成されている。
（１）ネットワーク２０を流れるデータを取得する構成要素群
（２）空気調和システムの状態を診断する構成要素群
（３）空気調和システムのシステム系統を分析する構成要素群
（４）（２）における診断結果及び（３）におけるシステム系統を合わせて表示する構成要素群
上記（１）〜（４）の構成要素群は、さらに、下記に示す構成要素によって構成されている。
【００１１】
（１）ネットワーク２０を流れるデータを取得する構成要素群
ネットワーク２０に接続され、そのネットワーク２０からデータを送受信する通信手段１１０によって構成される。
【００１２】
（２）空気調和システムの状態を診断する構成要素群
（２）に係る構成要素群は、空気調和機１０を構成する室外機１０ａ又は室内機１０ｂが保有する運転情報３１ａ（図２の説明において後述する）を、ネットワーク２０及び通信手段１１０を介して取得する運転情報取得手段１２０を有する。さらに、（２）に係る構成要素群は、この運転情報取得手段１２０によって取得された運転情報３１ａに基づいて空気調和システムの状態を診断するシステム診断手段１３０を有する。
システム診断手段１３０は、取得した運転情報３１ａに基づいて空気調和システムにおける冷凍サイクルの状態の診断を実施して冷凍サイクル診断結果（図３の説明において後述する）を導出する冷凍サイクル解析手段１３１を備えている。この冷凍サイクル解析手段１３１は、上記の冷凍サイクル診断結果を導出するための冷凍サイクル解析ルール１３１ａを保有している。
【００１３】
（３）空気調和システムのシステム系統を分析する構成要素群
（３）に係る構成要素群は、空気調和機１０を構成する室外機１０ａ又は室内機１０ｂが保有する機器種別３２（図２の説明において後述する）を、ネットワーク２０及び通信手段１１０を介して取得する機器種別認識手段１４０を有する。また、（３）に係る構成要素群は、空気調和機１０を構成する室外機１０ａ又は室内機１０ｂが保有する通信先機器リスト３３（図２の説明において後述する）を、ネットワーク２０及び通信手段１１０を介して取得する通信リスト生成手段１５０を有する。さらに、（３）に係る構成要素群は、上記の機器種別認識手段１４０によって取得された機器種別３２、及び、通信リスト生成手段１５０によって生成された通信リスト（図３の説明において後述する）に基づいて、空気調和システムの冷媒系統及び連動関係等を含むシステム系統情報（図３の説明において後述する）を導出するシステム系統分析手段１６０を有する。
システム系統分析手段１６０は、システム系統情報を導出するためのシステム系統分析ルール１６０ａを保有している。
【００１４】
（４）（２）における診断結果及び（３）におけるシステム系統を合わせて表示する構成要素群
（４）に係る構成要素群は、システム系統分析手段１６０によって導出されたシステム系統情報に基づいて、室外機１０ａ及び室内機１０ｂ等のアイコン並びにそれらを結ぶ線によって構成されるシステム系統図（図３の説明において後述する）を生成して、冷凍サイクル解析手段１３１によって導出された冷凍サイクル診断結果を、システム系統図において関連する機器のアイコン近傍に重畳する診断結果重畳図生成手段１７０を有する。さらに、（４）に係る構成要素群は、冷凍サイクル診断結果の内容が重畳されたシステム系統図を表示する表示器１８０を有する。
診断結果重畳図生成手段１７０は、システム系統図を生成するための機器間主要接続決定ルール１７０ａ及び診断結果対応システム系統図生成ルール１７０ｂを保有している。
【００１５】
図２は、本発明の実施の形態１に係る空気調和システムにおける室外機１０ａ及び室内機１０ｂの内部ブロック図である。
図２で示されるように、室外機１０ａ及び室内機１０ｂは、ネットワーク２０に接続され、そのネットワーク２０からデータを送受信する通信手段３０を備えている。また、室外機１０ａ及び室内機１０ｂは、冷媒温度値又は冷媒圧力値等の運転情報３１ａを生成する運転情報生成手段３１を備えている。さらに、室外機１０ａ及び室内機１０ｂは、その機器種類又は機能等を示す機器種別３２、及び、制御信号等の通信先のリストである通信先機器リスト３３を保有している。
通信手段３０は、運転情報生成手段３１によって生成された運転情報３１ａ、機器種別３２及び通信先機器リスト３３をネットワーク２０に送出する。
【００１６】
なお、室外機１０ａ及び室内機１０ｂは、図２で示される構成を備えるものとしているが、空気調和システムを構成するすべての室外機１０ａ及び室内機１０ｂが図２で示される構成を備えなくてもよい。例えば、診断対象とする必要がある室外機１０ａ又は室内機１０ｂのみ図２で示される構成を備える構成としてもよい。
また、図２で示される構成を備えるのは室外機１０ａ及び室内機１０ｂとしているが、これに限られるものではなく、室外機１０ａ及び室内機１０ｂ以外の機器、例えば、空気調和システムを構成する冷媒回路を分流する冷媒分流装置、又は、リモコン等その他の機器が、図２で示される構成を備え、運転情報３１ａ、機器種別３２又は通信先機器リスト３３をネットワーク２０に送出する構成としてもよい。
また、運転情報取得手段１２０、システム診断手段１３０、機器種別認識手段１４０、通信リスト生成手段１５０、システム系統分析手段１６０、又は、診断結果重畳図生成手段１７０は、回路デバイスのようなハードウェアによって実現される構成としてもよく、又は、マイコン若しくはＣＰＵのような演算装置によって実行されるソフトウェアとして実現される構成としてもよい。
さらに、冷凍サイクル解析ルール１３１ａ、システム系統分析ルール１６０ａ、機器間主要接続決定ルール１７０ａ、又は、診断結果対応システム系統図生成ルール１７０ｂは、ソフトウェア上に構成されたロジックによって実現される構成としてもよく、又は、これと等価な回路デバイス等によって実現される構成としてもよい。
【００１７】
（空気調和システム診断装置１００の動作概要）
図３は、本発明の実施の形態１に係る空気調和システム診断装置１００の処理を示すフローチャートである。以下、図３を参照しながら、空気調和システム診断装置１００の動作を説明する。
【００１８】
本実施の形態に係る空気調和システム診断装置１００の処理は、以下のステップＳ１〜ステップＳ３に大別される。
（Ｓ１）システム診断ステップ
運転情報取得手段１２０は、ネットワーク２０及び通信手段１１０を介して、空気調和機１０から運転情報３１ａを取得する。そして、システム診断手段１３０が備える冷凍サイクル解析手段１３１は、その運転情報３１ａに基づいて、空気調和システムにおける冷凍サイクルの診断を実施して不具合等の有無を示す冷凍サイクル診断結果を導出する。
（Ｓ２）システム系統分析ステップ
機器種別認識手段１４０は、ネットワーク２０及び通信手段１１０を介して、空気調和機１０等から機器種別３２を取得する。また、通信リスト生成手段１５０は、ネットワーク２０及び通信手段１１０を介して、空気調和機１０等から通信先機器リスト３３を取得し、この通信先機器リスト３３に基づいて通信リストを生成する。そして、システム系統分析手段１６０は、機器種別３２及び通信リストに基づいて、空気調和システムの冷媒系統及び連動関係等を含むシステム系統情報を導出する。
（Ｓ３）診断結果システム系統図重畳表示ステップ
診断結果重畳図生成手段１７０は、システム系統分析手段１６０によって導出されたシステム系統情報に基づいて、システム系統図を生成し、冷凍サイクル解析手段１３１によって導出された冷凍サイクル診断結果の内容を、システム系統図における関連する機器のアイコン近傍に重畳させて、その冷凍サイクル診断結果の内容が重畳されたシステム系統図を表示器１８０に出力する。
【００１９】
以下、図３におけるステップＳ１〜ステップＳ３の動作の詳細を、各ステップごとに説明する。
【００２０】
（システム診断ステップＳ１の動作概要）
以下、図３を参照しながら、ステップＳ１の動作の詳細を説明する。
【００２１】
（Ｓ１０１）
空気調和機１０を構成する室外機１０ａ又は室内機１０ｂにおける運転情報生成手段３１は、一定時間毎に運転情報３１ａを生成し、この運転情報３１ａを通信手段３０を介してネットワーク２０に送出する。そして、空気調和システム診断装置１００における運転情報取得手段１２０は、通信手段１１０を介して、その運転情報３１ａを取得し、システム診断手段１３０に通知する。上記の、運転情報生成手段３１によって生成される運転情報３１ａのネットワーク２０への送出間隔は、例えば、３０秒とする。
なお、運転情報３１ａは、一定時間毎に室外機１０ａ又は室内機１０ｂによって蓄積され、その蓄積された運転情報３１ａをまとめて、運転情報取得手段１２０に送信されるものとしてもよく、また、室外機１０ａ又は室内機１０ｂは、瞬間の運転情報３１ａのみを保持し、一定時間毎に運転情報取得手段１２０がその運転情報３１ａを取得し蓄積するものとしてもよい。
また、上記においては、運転情報生成手段３１が、一定時間毎に運転情報３１ａをネットワーク２０に送出する動作としたが、これに限られるものではなく、運転情報取得手段１２０が、一定時間毎に、運転情報生成手段３１に対して運転情報３１ａの送出指令信号を送信して、運転情報３１ａをネットワーク２０に送出させ、その運転情報３１ａを取得する動作としてもよい。
【００２２】
（Ｓ１０２）
システム診断手段１３０における冷凍サイクル解析手段１３１は、運転情報取得手段１２０によって通知された運転情報３１ａから、逐次、冷凍サイクル解析ルール１３１ａに基づいて、空気調和機１０における冷凍サイクルの状態について冷媒温度異常、冷媒圧力異常、冷媒量過不足又は冷媒制御弁の故障等の不具合の有無の情報を含む冷凍サイクル診断結果を導出する。
ここで、冷凍サイクル解析ルール１３１ａとは、空気調和システムにおける冷媒系統を成立させている冷凍サイクルの不具合を判定するためのルールである。例えば、運転情報３１ａが冷媒温度値又は冷媒圧力値等を含有し、冷凍サイクル解析ルール１３１ａが異常閾値を有し、その冷媒温度値又は冷媒圧力値等がその異常閾値を超えた場合に、冷凍サイクル診断結果を「異常有り」と判定してもよい。また、例えば、空気調和システム診断装置１００が、診断対象となる空気調和システムにおける特定の冷凍サイクルの過去の点検時等の運転情報（以下、事前運転情報という）を記憶する事前運転情報記憶手段（図示せず）を備える構成とし、冷凍サイクル解析手段１３１は、運転情報３１ａと事前運転情報とを比較し、冷媒温度値又は冷媒圧力値等の増減パターンが、冷凍サイクル解析ルール１３１ａが有する冷媒が減少した場合の増減パターンと一致又は類似している場合に、冷凍サイクル診断結果を「異常有り」と判定しても良い。
【００２３】
（Ｓ１０３）
システム診断手段１３０は、冷凍サイクル解析手段１３１が導出した冷凍サイクル診断結果を、診断結果重畳図生成手段１７０に通知する。
【００２４】
（システム系統分析ステップＳ２の動作概要）
以下、図３を参照しながら、ステップＳ２の動作の詳細を説明する。
【００２５】
（Ｓ２０１）
機器種別認識手段１４０は、通信手段１１０を介して、室外機１０ａ、室内機１０ｂ、冷媒分流装置（図示せず）又はリモコン（図示せず）等が保有している機器種別３２を取得し、システム系統分析手段１６０に通知する。
ここで、機器種別３２とは、室外機１０ａ、室内機１０ｂ、冷媒分流装置及びリモコン等の空気調和システムにおける役割を表す情報である。
【００２６】
（Ｓ２０２）
通信リスト生成手段１５０は、通信手段１１０を介して、室外機１０ａ、室内機１０ｂ、冷媒分流装置（図示せず）又はリモコン（図示せず）が保有している通信先機器リスト３３を取得し、この通信先機器リスト３３に基づいて通信リストを生成し、システム系統分析手段１６０に通知する。
ここで、通信リストとは、例えば、送信元機器と送信先機器との組み合わせをリストにしたものである。
【００２７】
（Ｓ２０３）
システム系統分析手段１６０は、機器種別認識手段１４０から取得した機器種別３２及び通信リスト生成手段１５０から取得した通信リストから、システム系統分析ルール１６０ａに基づいて、同一の室外機１０ａから冷媒配管で接続される室内機１０ｂ等を表す冷媒系統、及び、リモコン操作時に連動して動作する室内機１０ｂ等を表す連動関係等を含むシステム系統情報を導出する。
ここで、システム系統分析ルール１６０ａとは、ある空気調和システムを構成する室外機１０ａ、室内機１０ｂ、冷媒分流装置及びリモコン等の機器間の関係を判定するためのルールである。例えば、空気調和システムに複数の室外機１０ａと複数の室内機１０ｂがあり、通信リストに室外機１０ａと室内機１０ｂとの組み合わせが記載されているときに、組み合わされている室外機１０ａ及び室内機１０ｂが同一の冷媒系統に属していると判定してもよいし、また、ある１つのリモコンについて異なる室内機１０ｂとの組み合わせが通信リストに複数記載されているときに、それらの室内機１０ｂは連動関係にあると判定してもよい。
【００２８】
（Ｓ２０４）
システム系統分析手段１６０は、導出したシステム系統情報を、診断結果重畳図生成手段１７０に通知する。
【００２９】
（診断結果システム系統図重畳表示ステップＳ３の動作概要）
図４は、本発明の実施の形態１に係る空気調和システム診断装置１００の表示パネル１８１に表示される主要な機器間を線で結合したシステム系統図を示す図であり、図５は、表示パネル１８１に表示される各機器間を接続する冷媒系統を強調表示した図である。以下、図３〜図５を参照しながら、ステップＳ３の動作の詳細を説明する。
【００３０】
（Ｓ３０１）
診断結果重畳図生成手段１７０は、システム系統情報から、機器間主要接続決定ルール１７０ａに基づいて、機器のアイコン及びそれらを結ぶ線等から構成されるシステム系統図を生成する。例えば、後述するステップＳ３０３において表示器１８０の表示パネル１８１に表示されるシステム系統図を表す図４で示されるように、空気調和システムを構成する各機器の機器種別を区別して示すアイコンで表される。診断結果重畳図生成手段１７０は、この図４で示されるように、制御信号等の送受信がある機器間から、機器間主要接続決定ルール１７０ａに基づいて決定した主要な機器間を、線で結合したシステム系統図を生成する。この機器間主要接続決定ルール１７０ａに基づいて、例えば、室外機１０ａ、冷媒分流装置（図示せず）、室内機１０ｂ及びリモコン（図示せず）が相互に接続している場合に、室外機１０ａ及び冷媒分流装置、冷媒分流装置及び室内機１０ｂ、並びに、室内機１０ｂ及びリモコンの接続関係を主要な接続関係であると決定し、室外機１０ａを示す室外機アイコン２１０及び冷媒分流装置を示す冷媒分流装置アイコン２３０、その冷媒分流装置アイコン２３０及び室内機１０ｂを示す室内機アイコン２２０、並びに、その室内機アイコン２２０及びリモコンを示すリモコンアイコン２４０を接続線で結合して示す。一方、室外機１０ａと室内機１０ｂとの接続関係を主要でない接続関係と決定し、室外機アイコン２１０と室内機アイコン２２０との接続線２５０を省略する。
なお、図４は、システム系統図の例を示すものであり、これによって限定されるものではない。
【００３１】
（Ｓ３０２）
そして、診断結果重畳図生成手段１７０は、診断結果対応システム系統図生成ルール１７０ｂに基づいて、システム診断手段１３０から通知された冷凍サイクル診断結果の内容を、生成したシステム系統図に対してその冷凍サイクル診断結果に関連する機器又は機器群の付近に重畳する。例えば、冷凍サイクル診断結果に冷凍サイクルの不具合の検出情報が含まれている場合には、後述するステップＳ３０３において表示器１８０の表示パネル１８１に表示されるシステム系統図を表す図５で示されるように、システム系統情報から冷凍サイクルを構成する室内機１０ｂ、室外機１０ａ、及びそれらの冷媒系統の情報を抽出し、それぞれの機器に対応するアイコンである室内機アイコン２２０、及び、室外機アイコン２１０及び２１１、並びに、それらの間の接続線２５１及び２５１ａについて強調して重畳し、また、これらについて、不具合が発生しているもの、例えば、不具合が検出された室内機１０ｂ、室外機１０ａと、同一の冷媒配管で結合された室内機１０ｂ、室外機１０ａ及びそれらを結合する冷媒配管について強調したものを重畳して表示したシステム系統図を生成する。
例えば、図５において、特定の室外機１０ａに冷媒不足が発生しているものとし、その室外機１０ａに該当する室外機アイコン２１０に冷媒不足表示部２１５を重畳して表示している。
なお、上記においては不具合が発生している接続線又は機器を強調して表示する動作としたが、これに限られるものではなく、対象とする空気調和システムに存在する全ての機器及び接続線について強調して表示する動作としてもよい。
また、図５は、システム系統図の例を示すものであり、これによって限定されるものではない。
【００３２】
（Ｓ３０３）
さらに、診断結果重畳図生成手段１７０は、ステップＳ３０１においてシステム系統情報から生成し、ステップＳ３０２において冷凍サイクル診断結果の内容を重畳したシステム系統図を、表示器１８０に出力する。システム系統図を受信した表示器１８０は、表示パネル１８１にそのシステム系統図を表示させる。
【００３３】
（実施の形態１における効果）
以上のような構成及び動作によって、空気調和システムを表現するシステム系統図に冷凍サイクル診断結果を重畳して表示するため、冷凍サイクル診断結果と空気調和システムとの対応関係が容易に視認できる。そして、これによって速やかに不具合に対する対応をとることができ、不具合を早期に解決することができる。
また、室外機１０ａ、室内機１０ｂ、冷媒分流装置及びリモコン等の各機器が機器種別３２を保有している空気調和システムにおいて、空気調和システム診断装置１００における機器種別認識手段１４０が、それらの各機器に順次問い合わせて機器種別を認識することで、漏れなくかつ迅速にシステム系統情報を生成し、冷凍サイクル診断結果の表示を行うことができる。
また、室外機１０ａ、室内機１０ｂ、冷媒分流装置及びリモコン等の各機器が通信先機器リスト３３を保有している空気調和システムにおいて、空気調和システム診断装置１００における通信リスト生成手段１５０が、それらの各機器に順次問い合わせて通信リストの生成を行うことで、漏れなくかつ迅速にシステム系統情報を生成し、冷凍サイクル診断結果の表示を行うことができる。
また、システム系統図として、すべての機器及び主要な接続関係のみをシステム系統図として表示することで、システム系統図が煩雑でなくなり、空気調和システムの機器構成を容易に視認することができる。
また、室外機１０ａ、室内機１０ｂ及び冷媒分流装置等の各機器が運転情報３１ａを保有している空気調和システムにおいて、空気調和システム診断装置１００における運転情報取得手段が、それらの各機器に順次問い合わせて運転情報３１ａを取得し、システム診断手段１３０が、その運転情報３１ａに基づいて、冷凍サイクルの解析を実施することで、冷凍サイクルに関する不具合を検出し、冷凍サイクル診断結果として表示することができる。
また、空気調和システム診断装置１００が、事前運転情報を保有している場合には、取得した運転情報３１ａ及び事前運転情報を用いて冷凍サイクルの解析を行うことで、冷媒漏れといった空気調和システムの経年劣化による冷凍サイクルに関する不具合を検出し、冷凍サイクル診断結果として表示することができる。
さらに、冷凍サイクルの不具合が冷凍サイクル診断結果として得られた場合には、システム系統図として室外機１０ａ、室内機１０ｂ又は冷媒分流装置等、並びに、それらの接続線を強調した図を生成することで、システム系統図における冷凍サイクルを構成する各機器及び接続関係と冷凍サイクル診断結果との関連を容易に視認できる。
【００３４】
なお、本実施の形態においては、通信リスト生成手段１５０は、通信手段１１０を介して、空気調和システムを構成する各機器が保有している通信先機器リスト３３を取得し、それらをまとめた通信リストを生成するとしたが、これに限られるものではなく、図６で示されるように、通信手段１１０によって取得された通信の送信元情報及び送信先情報に基づいて通信リストを生成するものとしてもよい。このような動作によって、各機器が保有する通信先機器リスト３３を取得するための通信を実施することが不要となるため、ネットワーク２０及び各機器に負荷をかけることなく、通信リスト生成手段１５０は通信リストを生成することができ、ネットワーク２０又は各機器が高負荷な状態であっても、システム系統分析手段１６０はシステム系統情報を生成することができる。
【００３５】
また、本実施の形態においては、機器種別認識手段１４０は、通信手段１１０を介して、空気調和システムを構成する各機器が保有している機器種別３２を取得するとしたが、これに限られるものではなく、機器種別認識手段１４０は、通信リスト生成手段１５０から通信リストを取得し、この通信リスト及びこの通信リストで示される各通信の頻度の組み合わせに基づいて機器種別３２を推定するものとしてもよい。例えば、１対多の通信が実施されている機器群において、「１」の側が室外機１０ａで、「多」の側が室内機１０ｂであると推定し、室内機１０ｂと１対１の通信を頻繁に実施する機器はリモコンであると推定する。このような動作によって、各機器が保有する機器種別３２を取得するための通信を実施することが不要となるため、ネットワーク２０及び各機器に負荷をかけることなく、機器種別認識手段１４０は機器種別３２を推定し、ネットワーク２０又は各機器が高負荷な状態であっても、システム系統分析手段１６０はシステム系統情報を生成することができる。
【００３６】
また、本実施の形態においては、機器種別認識手段１４０は、通信手段１１０を介して、空気調和システムを構成する各機器が保有している機器種別３２を取得するとしたが、これに限られるものではなく、機器種別認識手段１４０は、通信リスト生成手段１５０から通信リストを取得し、この通信リスト及びネットワーク２０から通信手段１１０を介して取得した通信電文の内容から機器種別３２を推定するものとしてもよい。例えば、運転停止コマンドの通信の送信元がリモコンであり、送信先が室内機であると推定し、室内機から運転モード切り替えコマンドの通信が送られた先が室外機であると推定する。このような動作によって、各機器が保有する機器種別３２を取得するための通信を実施することが不要となるため、ネットワーク２０及び各機器に負荷をかけることなく、機器種別認識手段１４０は機器種別３２を推定し、ネットワーク２０又は各機器が高負荷な状態であっても、システム系統分析手段１６０はシステム系統情報を生成することができる。
【００３７】
また、本実施の形態においては、運転情報取得手段１２０が各機器の運転情報３１ａを通信手段１１０を介して取得し、機器種別認識手段１４０が各機器の機器種別３２を通信手段１１０を介して取得し、そして、通信リスト生成手段１５０が各機器の通信先機器リスト３３を通信手段１１０を介して取得する動作としたが、これに限られるものではなく、例えば、次のような動作としてもよい。まず、空気調和システム診断装置１００は、記憶装置を備えており、予め、各機器から通信手段１１０を介して、運転情報３１ａ、機器種別３２及び通信先機器リスト３３をこの記憶装置に記憶させておく。そして、運転情報取得手段１２０は各機器の運転情報３１ａを、機器種別認識手段１４０は各機器の機器種別３２を、及び、通信リスト生成手段１５０は各機器の通信先機器リスト３３をこの記憶装置から取得する。なお、通信手段１１０を介して直接運転情報３１ａ、機器種別３２及び通信先機器リスト３３を取得して記憶装置に記憶させる構成としたが、これに限られるものではなく、他の方法によって予め運転情報３１ａ、機器種別３２及び通信先機器リスト３３を記憶装置に記憶させ、空気調和システム診断装置１００は、通信手段１１０を備えない構成としてもよい。また、記憶装置に記憶させる情報は、運転情報３１ａ、機器種別３２及び通信先機器リスト３３のうちいずれか一部であってもよい。さらに、記憶装置は、通信先機器リスト３３を記憶する構成としたが、これに限られるものではなく、通信先機器リスト３３の代わりに通信リストを記憶し、通信リスト生成手段１５０は記憶装置から通信リストを取得する構成としてもよい。以上の動作によって、空気調和システム診断装置１００が診断対象となる空気調和システムに接続されていない状態においても、空気調和システムの診断を実施することができる。
【００３８】
また、本実施の形態においては、診断結果重畳図生成手段１７０が、システム診断手段１３０が冷凍サイクル解析手段１３１によって導出させた冷凍サイクル診断結果の内容を重畳したシステム系統図を表示器１８０に出力する動作としたが、これに限られるものではなく、例えば、次のような動作としてもよい。まず、空気調和システム診断装置１００は、記憶装置を備えており、予め、システム診断手段１３０が冷凍サイクル解析手段１３１によって導出させた冷凍サイクル診断結果をこの記憶装置に記憶させておく。そして、診断結果重畳図生成手段１７０は、この記憶装置から冷凍サイクル診断結果を取得して、この冷凍サイクル診断結果を重畳したシステム系統図を表示器１８０に出力する。なお、記憶手段は、システム診断手段１３０が冷凍サイクル解析手段１３１によって導出させた冷凍サイクル診断結果を予め取得して記憶しておく構成としたが、他の方法によって予め冷凍サイクル診断結果を記憶装置に記憶させ、システム診断手段１３０を有しない構成としてもよい。以上の動作のように、予め冷凍サイクル診断結果が記憶装置に記憶されているので、空気調和システムに対して、速やかに冷凍サイクル診断結果を空気調和システムの構成と関連付けて表示することができる。
【００３９】
さらに、本実施の形態においては、診断結果重畳図生成手段１７０がシステム系統分析手段１６０が導出したシステム系統情報から生成したシステム系統図を表示器１８０に出力する構成としたが、これに限られるものではなく、例えば、次のような動作としてもよい。まず、空気調和システム診断装置１００は、記憶装置を備えており、予め、システム系統分析手段１６０が導出したシステム系統情報をこの記憶装置に記憶させておく。そして、診断結果重畳図生成手段１７０は、この記憶装置からシステム系統情報を取得して、システム系統図を生成し、さらに冷凍サイクル診断結果の内容を重畳したシステム系統図を表示器１８０に出力する。なお、記憶手段は、システム系統分析手段１６０が導出したシステム系統情報を予め取得して記憶しておく構成としたが、他の方法によって予めシステム系統情報を記憶装置に記憶させ、システム系統分析手段１６０を有しない構成としてもよい。以上の動作のように、予めシステム系統情報が記憶装置に記憶されているので、空気調和システムに対して、速やかにシステム系統図を生成し、冷凍サイクル診断結果を空気調和システムの構成と関連付けて表示することができる。
【００４０】
実施の形態２．
（空気調和システム診断装置１００の構成）
図７は、本発明の実施の形態２に係る空気調和システム診断装置１００の内部ブロック及び空気調和システムの全体構成を示す図である。以下、図７を参照しながら、実施の形態１に係る空気調和システム診断装置１００と相違する点を中心に説明する。
【００４１】
本実施の形態に係る空気調和システム診断装置１００は、実施の形態１と同様に、少なくとも、（１）〜（４）の構成要素群によって構成されているが、（２）空気調和システムの状態を診断する構成要素群においては、下記の点で実施の形態１と異なる。
【００４２】
（２）空気調和システムの状態を診断する構成要素群
実施の形態１における（２）に係る構成要素群は、運転情報取得手段１２０及びシステム診断手段１３０から構成され、システム診断手段１３０は冷凍サイクル解析手段１３１を備える構成としていたが、本実施の形態における（２）に係る構成要素群は、ネットワーク２０から通信手段１１０を介して通信電文を取得する通信電文取得手段１２１を有している。また、システム診断手段１３０は、その通信電文に基づいて各機器の通信状態の診断を実施して後述するネットワーク診断結果を導出する通信電文解析手段１３２を備えている。この通信電文解析手段１３２は、上記のネットワーク診断結果を導出するための通信電文解析ルール１３２ａを保有している。
【００４３】
なお、通信電文解析ルール１３２ａは、ソフトウェア上に構成されたロジックによって実現される構成としてもよく、又は、これと等価な回路デバイス等によって実現される構成としてもよい。
【００４４】
（空気調和システム診断装置１００の動作概要）
本実施の形態に係る空気調和システム診断装置１００の処理は、ステップＳ２については、実施の形態１と同様であるが、ステップＳ１及びステップＳ３は下記のような動作となる。
【００４５】
（システム診断ステップＳ１の動作概要）
図８は、通信電文との類似度を導出するための正常テンプレート及び異常テンプレートの例を示す図である。以下、図３、図７及び図８を参照しながら、ステップＳ１の動作の詳細を説明する。
【００４６】
（Ｓ１０１）
空気調和システム診断装置１００における通信電文取得手段１２１は、ネットワーク２０から通信手段１１０を介して、室外機１０ａ、室内機１０ｂ、冷媒分流装置（図示せず）及びリモコン（図示せず）等の各機器間で実施される通信における送信元情報及び送信先情報等を含む通信電文を取得し、システム診断手段１３０に通知する。
【００４７】
（Ｓ１０２）
システム診断手段１３０における通信電文解析手段１３２は、通信電文取得手段１２１によって通知された通信電文から、逐次、通信電文解析ルール１３２ａに基づいて、不正パケット長等のネットワーク不具合の有無の情報を含むネットワーク診断結果を導出する。
ここで、通信電文解析ルール１３２ａとは、ある通信電文のフォーマットと、機器間の通信に用いられる通信プロトコルで規定されている電文フォーマットとの一致の判定、又は、特定のテンプレートとの比較をしてその類似度によって判定をするためのルールである。
例えば、その電文フォーマットと異なる構成の通信電文である場合に、ネットワーク診断結果を「異常あり」と判定する。
また、例えば、通信電文解析ルール１３２ａが通信電文についての正常テンプレート及び異常テンプレートを有し、その正常テンプレート及び異常テンプレートと、取得した通信電文との類似度を導出し、異常テンプレートとの類似度が高いときにネットワーク診断結果を「異常あり」と判定してもよい。この類似度について、例えば、下記の方法によって導出する。通信電文解析ルール１３２ａは、上記の正常テンプレートとして、図８で示されるような、正常テンプレート４００及び４０１、並びに、異常テンプレート４０２及び４０３を有しているものとする。各テンプレートは、正常テンプレートであるか異常テンプレートであるかを示すテンプレート種別、判定対象となる通信電文におけるパケットの位置を示すパケット位置、判定の基準となる基準値、及び、判定に該当した場合に加算される重みによって構成される。このとき、通信電文解析手段１３２は、取得した通信電文に含有されるパケット群から、各テンプレートが有するパケット位置に該当するパケットを抽出し、その値が、各テンプレートが有する基準値と同一であるか、基準値で示される範囲に含まれるか、基準値以上であるか、又は、基準値以下であるか等の判定を実施する。そして、その判定条件を満たす場合で、かつ、そのテンプレートのテンプレート種別が正常テンプレートである場合は、正常テンプレートに係る類似度としてその重みの値を加算する。また、テンプレート種別が異常テンプレートである場合は、異常テンプレートに係る類似度としてその重みの値を加算する。そして、得られた正常テンプレートに係る類似度及び異常テンプレートに係る類似度に基づいて、通信電文について判定する。例えば、異常テンプレートに係る類似度が所定の閾値以上、又は、異常テンプレートに係る類似度が正常テンプレートに係る類似度よりも大きい等であれば、ネットワーク診断結果を「異常あり」と判定する。
なお、上記に示した各テンプレートはあくまで例示したものであり、各テンプレートの構成及び各テンプレートに基づく類似度の導出方法は、上記で示したものに限定されるものではない。
【００４８】
（Ｓ１０３）
システム診断手段１３０は、通信電文解析手段１３２が導出したネットワーク診断結果を、診断結果重畳図生成手段１７０に通知する。
【００４９】
（診断結果システム系統図重畳表示ステップＳ３の動作概要）
図９は、本発明の実施の形態２に係る空気調和システム診断装置１００の表示パネル１８１に表示され、各機器において制御信号の送受信があるものを線で結合して示したシステム系統図を示す図である。以下、図３、図７及び図９を参照しながら、ステップＳ３の動作の詳細を説明する。
【００５０】
（Ｓ３０１）
診断結果重畳図生成手段１７０は、システム系統情報から、機器間主要接続決定ルール１７０ａに基づいて、機器のアイコン及びそれらを結ぶ線等から構成されるシステム系統図を生成する。例えば、後述するステップＳ３０３において表示器１８０の表示パネル１８１に表示されるシステム系統図を表す図９で示されるように、空気調和システムを構成する各機器の機器種別を区別して示すアイコンで表される。診断結果重畳図生成手段１７０は、この図９で示されるように、機器間主要接続決定ルール１７０ａに基づいて制御信号等の送受信がある各機器間、すなわち、システム系統情報から求められる通信リストにあるすべての機器間を、線で結合したシステム系統図を生成する。この機器間主要接続決定ルール１７０ａに基づいて、例えば、室外機１０ａ、室内機１０ｂ及びリモコン（図示せず）が相互に接続している場合に、室外機１０ａ及び室内機１０ｂ、並びに、室内機１０ｂ及びリモコンのそれぞれの間で制御信号等の送受信があると決定し、室外機１０ａを示す室外機アイコン２１０及び室内機１０ｂを示す室内機アイコン２２０、並びに、その室内機アイコン２２０及びリモコンを示すリモコンアイコン２４０を接続線で結合して示す。
【００５１】
（Ｓ３０２）
そして、診断結果重畳図生成手段１７０は、診断結果対応システム系統図生成ルール１７０ｂに基づいて、システム診断手段１３０から通知されたネットワーク診断結果の内容を、生成したシステム系統図に対してそのネットワーク診断結果に関連する機器若しくは機器群、又は、それらの結合線の付近に重畳する。例えば、ネットワーク診断結果に各機器の通信状態の不具合の検出情報が含まれている場合には、後述するステップＳ３０３において表示器１８０の表示パネル１８１に表示されるシステム系統図を表す図９で示されるように、各機器の通信状態に不具合が発生している部分の接続線について強調して表示したシステム系統図を生成する。図９においては、室外機１０ａと、室内機１０ｂのうち１台との通信状態に不具合が発生しているものとし、その接続線をネットワーク異常線２５２として強調したものを重畳して表示している。
なお、図９は、システム系統図の例を示すものであり、これによって限定されるものではない。
【００５２】
（Ｓ３０３）
さらに、診断結果重畳図生成手段１７０は、ステップＳ３０１においてシステム系統情報から生成し、ステップＳ３０２においてネットワーク診断結果の内容を重畳したシステム系統図を、表示器１８０に出力する。システム系統図を受信した表示器１８０は、表示パネル１８１にそのシステム系統図を表示させる。
【００５３】
（実施の形態２における効果）
以上のような構成及び動作のように、空気調和システムのネットワーク上の通信電文を取得してその通信電文の解析を実施し通信状態の不具合を診断することによって、その診断結果を表示することができる。
また、通信状態の不具合がネットワーク診断結果として得られた場合には、システム系統図として機器間通信をすべて個別に視認可能な図を生成して表示することによって、そのシステム系統図におけるネットワークの不具合箇所を具体的に視認することができる。
【００５４】
なお、本実施の形態においては、通信電文取得手段１２１が通信電文を通信手段１１０を介して取得し、機器種別認識手段１４０が各機器の機器種別３２を通信手段１１０を介して取得し、そして、通信リスト生成手段１５０が各機器の通信先機器リスト３３を通信手段１１０を介して取得する動作としたが、これに限られるものではなく、例えば、次のような動作としてもよい。まず、空気調和システム診断装置１００は、記憶装置を備えており、予め、各機器から通信手段１１０を介して、通信電文、機器種別３２及び通信先機器リスト３３をこの記憶装置に記憶させておく。そして、通信電文取得手段１２１は通信電文を、機器種別認識手段１４０は各機器の機器種別３２を、及び、通信リスト生成手段１５０は各機器の通信先機器リスト３３をこの記憶装置から取得する。なお、通信手段１１０を介して直接通信電文、機器種別３２及び通信先機器リスト３３を取得して記憶装置に記憶させる構成としたが、これに限られるものではなく、他の方法によって予め通信電文、機器種別３２及び通信先機器リスト３３を記憶装置に記憶させ、空気調和システム診断装置１００は、通信手段１１０を備えない構成としてもよい。また、記憶装置に記憶させる情報は、通信電文、機器種別３２及び通信先機器リスト３３のうちいずれか一部であってもよい。さらに、記憶装置は、通信先機器リスト３３を記憶する構成としたが、これに限られるものではなく、通信先機器リスト３３の代わりに通信リストを記憶し、通信リスト生成手段１５０は記憶装置から通信リストを取得する構成としてもよい。以上の動作によって、空気調和システム診断装置１００が診断対象となる空気調和システムに接続されていない状態においても、空気調和システムの診断を実施することができる。
【００５５】
また、本実施の形態においては、診断結果重畳図生成手段１７０が、システム診断手段１３０が通信電文解析手段１３２によって導出させたネットワーク診断結果の内容を重畳したシステム系統図を表示器１８０に出力する動作としたが、これに限られるものではなく、例えば、次のような動作としてもよい。まず、空気調和システム診断装置１００は、記憶装置を備えており、予め、システム診断手段１３０が通信電文解析手段１３２によって導出させたネットワーク診断結果をこの記憶装置に記憶させておく。そして、診断結果重畳図生成手段１７０は、この記憶装置からネットワーク診断結果を取得して、このネットワーク診断結果を重畳したシステム系統図を表示器１８０に出力する。なお、記憶手段は、システム診断手段１３０が通信電文解析手段１３２によって導出させたネットワーク診断結果を予め取得して記憶しておく構成としたが、他の方法によって予めネットワーク診断結果を記憶装置に記憶させ、システム診断手段１３０を有しない構成としてもよい。以上の動作のように、予めネットワーク診断結果が記憶装置に記憶されているので、空気調和システムに対して、速やかにネットワーク診断結果を空気調和システムの構成と関連付けて表示することができる。
【００５６】
実施の形態３．
（空気調和システム診断装置１００の構成）
図１０は、本発明の実施の形態３に係る空気調和システム診断装置１００の内部ブロック及び空気調和システムの全体構成を示す図である。以下、図１０を参照しながら、実施の形態１に係る空気調和システム診断装置１００と相違する点を中心に説明する。
【００５７】
本実施の形態に係る空気調和システム診断装置１００は、実施の形態１と同様に、少なくとも、（１）〜（４）の構成要素群によって構成されているが、（２）空気調和システムの状態を診断する構成要素群においては、下記の点で実施の形態１と異なる。
【００５８】
（２）空気調和システムの状態を診断する構成要素群
実施の形態１における（２）に係る構成要素群は、運転情報取得手段１２０及びシステム診断手段１３０から構成され、システム診断手段１３０は冷凍サイクル解析手段１３１を備える構成としていたが、本実施の形態における（２）に係る構成要素群は、ネットワーク２０から通信手段１１０を介して通信波形を取得する通信波形取得手段１２２を有している。また、システム診断手段１３０は、その通信波形に基づいて各機器の通信状態の診断を実施して後述するネットワーク診断結果を導出する通信波形解析手段１３３を備えている。この通信波形解析手段１３３は、上記のネットワーク診断結果を導出するための通信波形解析ルール１３３ａを保有している。
【００５９】
なお、通信波形解析ルール１３３ａは、ソフトウェア上に構成されたロジックによって実現される構成としてもよく、又は、これと等価な回路デバイス等によって実現される構成としてもよい。
【００６０】
（空気調和システム診断装置１００の動作概要）
本実施の形態に係る空気調和システム診断装置１００の処理は、ステップＳ２及びステップＳ３については、実施の形態１と同様であるが、ステップＳ１は下記のような動作となる。
【００６１】
（システム診断ステップＳ１の動作概要）
以下、図３及び図１０を参照しながら、ステップＳ１の動作の詳細を説明する。
【００６２】
（Ｓ１０１）
空気調和システム診断装置１００における通信波形取得手段１２２は、ネットワーク２０から通信手段１１０を介して、室外機１０ａ、室内機１０ｂ、冷媒分流装置（図示せず）及びリモコン（図示せず）等の各機器間で実施される通信における通信波形を取得し、システム診断手段１３０に通知する。
【００６３】
（Ｓ１０２）
システム診断手段１３０における通信波形解析手段１３３は、通信波形取得手段１２２によって通知された通信波形から、逐次、通信波形解析ルール１３３ａに基づいて、信号レベルが低い、又は、波形の立ち上がりなまり等のネットワーク不具合の有無の情報を含むネットワーク診断結果を導出する。
ここで、通信波形解析ルール１３３ａとは、ある通信波形と適正波形との一致を判定するためのルールである。例えば、適正波形と通信波形との形状特徴、例えば、信号幅又は振幅等の差が一定の閾値を超える場合、ネットワーク診断結果を「異常あり」と判定する。
【００６４】
（Ｓ１０３）
システム診断手段１３０は、通信波形解析手段１３３が導出したネットワーク診断結果を、診断結果重畳図生成手段１７０に通知する。
【００６５】
（実施の形態３における効果）
以上のような構成及び動作によって、空気調和システムにおける制御信号等の通信波形を取得してその通信波形の解析を実施し通信状態の不具合を診断することによって、その診断結果を表示することができる。
また、通信状態の不具合がネットワーク診断結果として得られた場合には、システム系統図として機器間通信をすべて個別に視認可能な図を生成して表示することによって、そのシステム系統図におけるネットワークの不具合箇所を具体的に視認することができる。
【００６６】
なお、本実施の形態においては、通信波形取得手段１２２が通信波形を通信手段１１０を介して取得し、機器種別認識手段１４０が各機器の機器種別３２を通信手段１１０を介して取得し、そして、通信リスト生成手段１５０が各機器の通信先機器リスト３３を通信手段１１０を介して取得する動作としたが、これに限られるものではなく、例えば、次のような動作としてもよい。まず、空気調和システム診断装置１００は、記憶装置を備えており、予め、各機器から通信手段１１０を介して、通信波形、機器種別３２及び通信先機器リスト３３をこの記憶装置に記憶させておく。そして、通信波形取得手段１２２は通信波形を、機器種別認識手段１４０は各機器の機器種別３２を、及び、通信リスト生成手段１５０は各機器の通信先機器リスト３３をこの記憶装置から取得する。なお、通信手段１１０を介して直接通信波形、機器種別３２及び通信先機器リスト３３を取得して記憶装置に記憶させる構成としたが、これに限られるものではなく、他の方法によって予め通信波形、機器種別３２及び通信先機器リスト３３を記憶装置に記憶させ、空気調和システム診断装置１００は、通信手段１１０を備えない構成としてもよい。また、記憶装置に記憶させる情報は、通信波形、機器種別３２及び通信先機器リスト３３のうちいずれか一部であってもよい。さらに、記憶装置は、通信先機器リスト３３を記憶する構成としたが、これに限られるものではなく、通信先機器リスト３３の代わりに通信リストを記憶し、通信リスト生成手段１５０は記憶装置から通信リストを取得する構成としてもよい。以上の動作によって、空気調和システム診断装置１００が診断対象となる空気調和システムに接続されていない状態においても、空気調和システムの診断を実施することができる。
【００６７】
また、本実施の形態においては、診断結果重畳図生成手段１７０が、システム診断手段１３０が通信波形解析手段１３３によって導出させたネットワーク診断結果の内容を重畳したシステム系統図を表示器１８０に出力する動作としたが、これに限られるものではなく、例えば、次のような動作としてもよい。まず、空気調和システム診断装置１００は、記憶装置を備えており、予め、システム診断手段１３０が通信波形解析手段１３３によって導出させたネットワーク診断結果をこの記憶装置に記憶させておく。そして、診断結果重畳図生成手段１７０は、この記憶装置からネットワーク診断結果を取得して、このネットワーク診断結果を重畳したシステム系統図を表示器１８０に出力する。なお、記憶手段は、システム診断手段１３０が通信波形解析手段１３３によって導出させたネットワーク診断結果を予め取得して記憶しておく構成としたが、他の方法によって予めネットワーク診断結果を記憶装置に記憶させ、システム診断手段１３０を有しない構成としてもよい。以上の動作のように、予めネットワーク診断結果が記憶装置に記憶されているので、空気調和システムに対して、速やかにネットワーク診断結果を空気調和システムの構成と関連付けて表示することができる。
【００６８】
実施の形態４．
図１１は、本発明の実施の形態４に係る空気調和システム診断装置１００の内部ブロック及び空気調和システムの全体構成を示す図である。以下、図１１を参照しながら、実施の形態１に係る空気調和システム診断装置１００と相違する点を中心に説明する。
【００６９】
本実施の形態に係る空気調和システム診断装置１００は、実施の形態１と同様に、少なくとも、（１）〜（４）の構成要素群によって構成されているが、（２）空気調和システムの状態を診断する構成要素群及び（３）空気調和システムのシステム系統を分析する構成要素群においては、下記の点で実施の形態１と異なる。
【００７０】
（２）空気調和システムの状態を診断する構成要素群
実施の形態１における（２）に係る構成要素群は、運転情報取得手段１２０及びシステム診断手段１３０から構成され、システム診断手段１３０は冷凍サイクル解析手段１３１を備える構成としていたが、本実施の形態における（２）に係る構成要素群は、システム診断手段１３０のみによって構成されている。また、このシステム診断手段１３０は、後述するシステム情報及び事前システム系統情報１９０ａに基づいて後述するシステム構成診断結果を導出するシステム構成解析手段１３４を備えている。そして、このシステム構成解析手段１３４は、上記のシステム構成診断結果を導出するためのシステム構成解析ルール１３４ａを保有している。
【００７１】
（３）空気調和システムのシステム系統を分析する構成要素群
本実施の形態における（３）に係る構成要素群は、実施の形態１における（３）に係る構成要素群に加え、事前システム系統情報１９０ａを記憶した事前システム系統記憶手段１９０を有する。
【００７２】
なお、システム構成解析ルール１３４ａは、ソフトウェア上に構成されたロジックによって実現される構成としてもよく、又は、これと等価な回路デバイス等によって実現される構成としてもよい。
【００７３】
（空気調和システム診断装置１００の動作概要）
本実施の形態に係る空気調和システム診断装置１００の処理は、実施の形態１と同様に（Ｓ１）システム診断ステップ、（Ｓ２）システム系統分析ステップ及び（Ｓ３）診断結果システム系統図重畳表示ステップに大別される。以下、ステップＳ１〜ステップＳ３の動作の詳細を、各ステップごとに説明する。
（システム診断ステップＳ１の動作概要）
以下、図３及び図１１を参照しながら、ステップＳ１の動作の詳細を説明する。
【００７４】
（Ｓ１０１）
空気調和システム診断装置１００における事前システム系統記憶手段１９０は、診断対象である空気調和システムの過去点検時又は設計段階におけるシステム系統情報(以下、事前システム系統情報１９０ａ)を記憶している。
（Ｓ１０２）
システム診断手段１３０におけるシステム構成解析手段１３４は、後述するステップＳ２０４においてシステム系統分析手段１６０が導出したシステム系統情報と、事前システム系統記憶手段１９０が記憶する事前システム系統情報１９０ａとを比較して逐次、システム構成解析ルール１３４ａに基づいて、想定外の機器検出及び想定する機器未検出等のシステム構成不具合の有無の情報を含むシステム構成診断結果を導出する。
ここで、システム構成解析ルール１３４ａとは、システム系統分析手段１６０が導出したシステム系統情報と、事前システム系統記憶手段１９０が記憶する事前システム系統情報１９０ａとの一致を判定するためのルールである。例えば、事前システム系統情報１９０ａに存在する機器がシステム系統情報に存在しない場合や、事前システム系統情報１９０ａに存在しない機器がシステム系統情報に存在する場合に、システム構成診断結果を「異常あり」と判定する。また、例えば、事前システム系統情報１９０ａによって示される機器の接続関係とシステム系統情報によって示される機器の接続関係とが異なる場合に、システム構成診断結果を「異常あり」と判定しても良い。
（Ｓ１０３）
システム診断手段１３０は、システム構成解析手段１３４が導出したシステム構成診断結果を、診断結果重畳図生成手段１７０に通知する。
【００７５】
（システム系統分析ステップＳ２の動作概要）
以下、図３及び図１１を参照しながら、ステップＳ２の動作の詳細を説明する。
【００７６】
（Ｓ２０１）
機器種別認識手段１４０は、通信手段１１０を介して、室外機１０ａ、室内機１０ｂ、冷媒分流装置（図示せず）又はリモコン（図示せず）等が保有している機器種別３２を取得し、システム系統分析手段１６０に通知する。
ここで、機器種別３２とは、室外機１０ａ、室内機１０ｂ、冷媒分流装置及びリモコン等の空気調和システムにおける役割を表す情報である。
【００７７】
（Ｓ２０２）
通信リスト生成手段１５０は、通信手段１１０を介して、室外機１０ａ、室内機１０ｂ、冷媒分流装置（図示せず）又はリモコン（図示せず）が保有している通信先機器リスト３３を取得し、この通信先機器リスト３３に基づいて通信リストを生成し、システム系統分析手段１６０に通知する。
ここで、通信リストとは、例えば、送信元機器と送信先機器との組み合わせをリストにしたものである。
【００７８】
（Ｓ２０３）
システム系統分析手段１６０は、機器種別認識手段１４０から取得した機器種別３２及び通信リスト生成手段１５０から取得した通信リストから、システム系統分析ルール１６０ａに基づいて、同一の室外機１０ａから冷媒配管で接続される室内機１０ｂ等を表す冷媒系統、及び、リモコン操作時に連動して動作する室内機１０ｂ等を表す連動関係等を含むシステム系統情報を導出する。
ここで、システム系統分析ルール１６０ａとは、ある空気調和システムを構成する室外機１０ａ、室内機１０ｂ、冷媒分流装置及びリモコン等の機器間の関係を判定するためのルールである。例えば、空気調和システムに複数の室外機１０ａと複数の室内機１０ｂがあり、通信リストに室外機１０ａと室内機１０ｂとの組み合わせが記載されているときに、組み合わされている室外機１０ａ及び室内機１０ｂが同一の冷媒系統に属していると判定してもよいし、また、ある１つのリモコンについて異なる室内機１０ｂとの組み合わせが通信リストに複数記載されているときに、それらの室内機１０ｂは連動関係にあると判定してもよい。
【００７９】
（Ｓ２０４）
システム系統分析手段１６０は、導出したシステム系統情報を、診断結果重畳図生成手段１７０及びシステム診断手段１３０に通知する。
【００８０】
（診断結果システム系統図重畳表示ステップＳ３の動作概要）
図１２は、本発明の実施の形態４に係る空気調和システム診断装置１００の表示パネル１８１に表示され、過去のシステム構成と現在のシステム構成とを区別して示したシステム系統図を示す図である。以下、図３、図１１及び図１２を参照しながら、ステップＳ３の動作の詳細を説明する。
【００８１】
（Ｓ３０１）
診断結果重畳図生成手段１７０は、システム系統情報から、機器間主要接続決定ルール１７０ａに基づいて、機器のアイコン及びそれらを結ぶ線等から構成されるシステム系統図を生成する。例えば、後述するステップＳ３０３において表示器１８０の表示パネル１８１に表示されるシステム系統図を表す図１２で示されるように、空気調和システムを構成する各機器の機器種別を区別して示すアイコンで表される。診断結果重畳図生成手段１７０は、まず、システム系統情報から機器間主要接続決定ルール１７０ａに基づいて決定した機器間を線で結合し、現在のシステム構成を示すシステム系統図を生成する。この機器間主要接続決定ルール１７０ａに基づいて、例えば、室外機１０ａ、室内機１０ｂ及びリモコン（図示せず）が相互に接続している場合に、室外機１０ａ及び室内機１０ｂ、並びに、室内機１０ｂ及びリモコンの接続関係を主要な接続関係であると決定し、室外機１０ａを示す室外機アイコン２１０及び室内機１０ｂを示す室内機アイコン２２０、並びに、その室内機アイコン２２０及びリモコンを示すリモコンアイコン２４０を接続線で結合して示す。
【００８２】
（Ｓ３０２）
そして、診断結果重畳図生成手段１７０は、システム系統情報から生成した現在のシステム構成を示すシステム系統図に対し、診断結果対応システム系統図生成ルール１７０ｂに基づいて、システム診断手段１３０から通知されたシステム構成診断結果から抽出される過去のシステム構成を重畳する。例えば、図１２で示されるようにシステム系統情報、及び、事前システム系統情報１９０ａの内容を含有するシステム構成診断結果の両方において検出されている機器については、その機器の種別を示す通常のアイコンで示す。図１２においては、室外機アイコン２１０及び２１１、室内機アイコン２２０、並びに、リモコンアイコン２４０が該当する。また、システム構成診断結果のみにおいて検出されている機器については、その機器の種別を示すアイコンの色を薄くしたアイコンで示す。図１２においては、事前システム系統情報機器アイコン２２１が該当する。さらに、システム系統情報のみにおいて検出されている機器については、その機器の種別を示すアイコンを点滅させて示す。図１２においては、システム系統情報機器アイコン２２２が該当する。
なお、上記においては、システム系統図において、単に、システム系統情報及びシステム構成診断結果の両方において検出されている機器、システム構成診断結果のみにおいて検出されている機器、及び、システム系統情報のみにおいて検出されている機器それぞれを区別したアイコンとして表示させるものであるが、これに限られるものではなく、例えば、システム構成診断結果に基づいて、過去のシステム構成と現在のシステム構成とを比較して、想定していない機器が接続されている、又は、想定する機器が接続されていない等システム構成上異常であると判定された機器又はその接続線を、システム構成上正常であると判定された機器又はその接続線とは区別して表示するものとしてもよい。
また、図１２は、システム系統図の例を示すものであり、これによって限定されるものではない。
【００８３】
（Ｓ３０３）
さらに、診断結果重畳図生成手段１７０は、ステップＳ３０１においてシステム系統情報から生成し、ステップＳ３０２においてシステム構成診断結果の内容を重畳したシステム系統図を、表示器１８０に出力する。システム系統図を受信した表示器１８０は、表示パネル１８１にそのシステム系統図を表示させる。
【００８４】
（実施の形態４における効果）
以上のような構成及び動作によって、システム系統情報及び事前システム系統情報から、現在のシステム構成を解析することによって、過去のシステム構成と現在のシステム構成とを比較して区別し、重畳して表示するため、現在のシステム構成の検出不足の機器の箇所、又は、超過検出の機器の箇所を具体的に視認できる。
また、システム系統情報及び事前システム系統情報から、現在のシステム構成を解析することによって、想定していない機器が接続されている、又は、想定する機器が接続されていない等のシステム構成に関する不具合を検出して表示することができる。
【００８５】
なお、本実施の形態においては、診断結果重畳図生成手段１７０が、システム診断手段１３０がシステム構成解析手段１３４によって導出させたシステム構成診断結果の内容を重畳したシステム系統図を表示器１８０に出力する動作としたが、これに限られるものではなく、例えば、次のような動作としてもよい。まず、空気調和システム診断装置１００は、記憶装置を備えており、予め、システム診断手段１３０がシステム構成解析手段１３４によって導出させたシステム構成診断結果をこの記憶装置に記憶させておく。そして、診断結果重畳図生成手段１７０は、この記憶装置からシステム構成診断結果を取得して、このシステム構成診断結果を重畳したシステム系統図を表示器１８０に出力する。なお、記憶手段は、システム診断手段１３０がシステム構成解析手段１３４によって導出させたシステム構成診断結果を予め取得して記憶しておく構成としたが、他の方法によって予めシステム構成診断結果を記憶装置に記憶させ、システム診断手段１３０を有しない構成としてもよい。以上の動作のように、予めシステム構成診断結果が記憶装置に記憶されているので、空気調和システムに対して、速やかにシステム構成診断結果を空気調和システムの構成と関連付けて表示することができる。
【００８６】
実施の形態５．
図１３は、本発明の実施の形態５に係る空気調和システム診断装置１００の内部ブロック及び空気調和システムの全体構成を示す図である。以下、図１３を参照しながら、実施の形態１に係る空気調和システム診断装置１００と相違する点を中心に説明する。
【００８７】
本実施の形態に係る空気調和システム診断装置１００は、実施の形態１と同様に、少なくとも、（１）〜（４）の構成要素群によって構成されているが、（２）空気調和システムの状態を診断する構成要素群においては、下記の点で実施の形態１と異なる。
【００８８】
（２）空気調和システムの状態を診断する構成要素群
実施の形態１における（２）に係る構成要素群は、運転情報取得手段１２０及びシステム診断手段１３０から構成され、システム診断手段１３０は冷凍サイクル解析手段１３１を備える構成としていたが、本実施の形態における（２）に係る構成要素群は、システム診断手段１３０のみによって構成されている。また、このシステム診断手段１３０は、後述する通信リストに基づいて後述する機器設定診断結果を導出する機器設定解析手段１３５を備えている。そして、この機器設定解析手段１３５は、上記の機器設定診断結果を導出するための機器設定解析ルール１３５ａを保有している。
【００８９】
なお、機器設定解析ルール１３５ａは、ソフトウェア上に構成されたロジックによって実現される構成としてもよく、又は、これと等価な回路デバイス等によって実現される構成としてもよい。
【００９０】
（空気調和システム診断装置１００の動作概要）
本実施の形態に係る空気調和システム診断装置１００の処理は、以下のステップＳ１〜ステップＳ３に大別される。
（Ｓ１）システム診断ステップ
システム診断手段１３０が備える機器設定解析手段１３５は、後述する通信リストに基づいて、後述する機器ＩＤを用いて判定された想定外の機器検出及び想定する機器未検出等を含む機器設定診断結果を導出する。
（Ｓ２）システム系統分析ステップ
機器種別認識手段１４０は、ネットワーク２０及び通信手段１１０を介して、空気調和機１０等から機器種別３２を取得する。また、通信リスト生成手段１５０は、ネットワーク２０及び通信手段１１０を介して、空気調和機１０等から通信先機器リスト３３を取得し、この通信先機器リスト３３に基づいて通信リストを生成する。そして、システム系統分析手段１６０は、機器種別３２及び通信リストに基づいて、空気調和システムの冷媒系統及び連動関係等を含むシステム系統情報を導出する。
（Ｓ３）診断結果システム系統図重畳表示ステップ
診断結果重畳図生成手段１７０は、システム系統分析手段１６０によって導出されたシステム系統情報に基づいて、システム系統図を生成し、機器設定解析手段１３５によって導出された機器設定診断結果の内容を、そのシステム系統図に重畳させて、その機器設定診断結果の内容が重畳されたシステム系統図を表示器１８０に出力する。
【００９１】
以下、図３におけるステップＳ１〜ステップＳ３の動作の詳細を、各ステップごとに説明する。
【００９２】
（システム診断ステップＳ１の動作概要）
以下、図３及び図１３を参照しながら、ステップＳ１の動作の詳細を説明する。
【００９３】
（Ｓ１０１）
空気調和システム診断装置１００におけるシステム診断手段１３０は、通信リスト生成手段１５０から後述する機器ＩＤの組み合わせから構成される通信リストを取得する。
【００９４】
（Ｓ１０２）
システム診断手段１３０における機器設定解析手段１３５は、通信リスト生成手段１５０によって通知された通信リストから、逐次、機器設定解析ルール１３５ａに基づいて、想定外の機器検出、想定する機器未検出又は機器ＩＤの２重設定等のシステム構成不具合の有無の情報を含む機器設定診断結果を導出する。
ここで、機器設定解析ルール１３５ａとは、通信リストにおける機器ＩＤの組み合わせの整合性を判定するルールである。例えば、通信リストに記載されている機器ＩＤの組み合わせに係る機器が、通信が実施されうる機器でない場合に、機器設定診断結果を「異常あり」と判定する。また、例えば、１つの室内機１０ｂと２つの異なる室外機１０ａとの組み合わせが存在する場合に、機器設定診断結果を「異常あり」と判定しても良い。
（Ｓ１０３）
システム診断手段１３０は、機器設定解析手段１３５が導出した機器設定診断結果を、診断結果重畳図生成手段１７０に通知する。
【００９５】
（システム系統分析ステップＳ２の動作概要）
以下、図３及び図１３を参照しながら、ステップＳ２の動作の詳細を説明する。
【００９６】
（Ｓ２０１）
機器種別認識手段１４０は、通信手段１１０を介して、室外機１０ａ、室内機１０ｂ、冷媒分流装置（図示せず）又はリモコン（図示せず）等が保有している機器種別３２を取得し、システム系統分析手段１６０に通知する。
ここで、機器種別３２とは、室外機１０ａ、室内機１０ｂ、冷媒分流装置及びリモコン等の空気調和システムにおける役割を表す情報である。
【００９７】
（Ｓ２０２）
通信リスト生成手段１５０は、通信手段１１０を介して、室外機１０ａ、室内機１０ｂ、冷媒分流装置（図示せず）又はリモコン（図示せず）が保有している機器ＩＤを包含する通信先機器リスト３３を取得し、この通信先機器リスト３３に基づいて通信リストを生成し、システム系統分析手段１６０及びシステム診断手段１３０に通知する。
ここで、通信リストとは、例えば、それぞれ機器ＩＤを有する送信元機器と送信先機器との組み合わせをリストにしたものである。
【００９８】
（Ｓ２０３）
システム系統分析手段１６０は、機器種別認識手段１４０から取得した機器種別３２及び通信リスト生成手段１５０から取得した通信リストから、システム系統分析ルール１６０ａに基づいて、同一の室外機１０ａから冷媒配管で接続される室内機１０ｂ等を表す冷媒系統、及び、リモコン操作時に連動して動作する室内機１０ｂ等を表す連動関係等を含むシステム系統情報を導出する。
【００９９】
（Ｓ２０４）
システム系統分析手段１６０は、導出したシステム系統情報を、診断結果重畳図生成手段１７０に通知する。
【０１００】
（診断結果システム系統図重畳表示ステップＳ３の動作概要）
図１４は、本発明の実施の形態２に係る空気調和システム診断装置１００の表示パネル１８１に表示され、機器ＩＤが付与された各機器を線で結合して示したシステム系統図を示す図である。以下、図３、図１３及び図１４を参照しながら、ステップＳ３の動作の詳細を説明する。
【０１０１】
（Ｓ３０１）
診断結果重畳図生成手段１７０は、システム系統情報から、機器間主要接続決定ルール１７０ａに基づいて、機器ＩＤが付与された機器のアイコン及びそれらを結ぶ線等から構成されるシステム系統図を生成する。例えば、後述するステップＳ３０３において表示器１８０の表示パネル１８１に表示されるシステム系統図を表す図１４で示されるように、空気調和システムを構成する各機器を機器種別及びＩＤ表示部２６０によって区別して示すアイコンで表される。診断結果重畳図生成手段１７０は、この図１４で示されるように、制御信号等の送受信がある機器間から、機器間主要接続決定ルール１７０ａに基づいて決定した主要な機器間を、線で結合したシステム系統図を生成する。この機器間主要接続決定ルール１７０ａに基づいて、例えば、室外機１０ａ、室内機１０ｂ及びリモコン（図示せず）が相互に接続している場合に、室外機１０ａ及び室内機１０ｂ、並びに、室内機１０ｂ及びリモコンのそれぞれの間で制御信号等の送受信があると決定し、室外機１０ａを示す室外機アイコン２１０及び室内機１０ｂを示す室内機アイコン２２０、並びに、その室内機アイコン２２０及びリモコンを示すリモコンアイコン２４０を接続線で結合して示す。また、これらの室外機アイコン２１０、室内機アイコン２２０及びリモコンアイコン２４０には、それぞれ機器ＩＤが付与されて表示される。
なお、上記のシステム系統図は、機器ＩＤが付与された機器のアイコンを機器ＩＤ順に並べて構成されるものとしてもよい。
【０１０２】
（Ｓ３０２）
そして、診断結果重畳図生成手段１７０は、診断結果対応システム系統図生成ルール１７０ｂに基づいて、システム診断手段１３０から通知された機器設定診断結果を、生成したシステム系統図に対してその機器設定診断結果に関連する機器若しくは機器群、又は、それらの結合線の付近に重畳する。例えば、機器設定診断結果として、機器ＩＤ設定の不具合が検出されている場合、図１４で示されるように、欠落している機器ＩＤに係るアイコン、すなわち、欠落ＩＤアイコン２２３を点線の枠によって示す。
なお、図１４は、システム系統図の例を示すものであり、これによって限定されるものではない。
【０１０３】
（Ｓ３０３）
さらに、診断結果重畳図生成手段１７０は、ステップＳ３０１においてシステム系統情報から生成し、ステップＳ３０２において機器設定診断結果の内容を重畳したシステム系統図を、表示器１８０に出力する。システム系統図を受信した表示器１８０は、表示パネル１８１にそのシステム系統図を表示させる。
【０１０４】
（実施の形態５における効果）
以上のような構成及び動作によって、機器設定解析手段１３５によって機器ＩＤの組み合わせから構成される通信リストが解析されることによって、機器ＩＤ設定に関する不具合を検出し、その検出結果を表示させることができる。
また、機器ＩＤ設定の不具合が診断結果として得られた場合には、機器ごとに機器ＩＤを付与して各機器を並べたシステム系統図を生成することで、機器ＩＤ設定の欠落といった機器ＩＤ設定の不具合を具体的に視認することができる。
【０１０５】
なお、本実施の形態においては、診断結果重畳図生成手段１７０が、システム診断手段１３０が機器設定解析手段１３５によって導出させた機器設定診断結果の内容を重畳したシステム系統図を表示器１８０に出力する動作としたが、これに限られるものではなく、例えば、次のような動作としてもよい。まず、空気調和システム診断装置１００は、記憶装置を備えており、予め、システム診断手段１３０が機器設定解析手段１３５によって導出させた機器設定診断結果をこの記憶装置に記憶させておく。そして、診断結果重畳図生成手段１７０は、この記憶装置から機器設定診断結果を取得して、この機器設定診断結果を重畳したシステム系統図を表示器１８０に出力する。なお、記憶手段は、システム診断手段１３０が機器設定解析手段１３５によって導出させた機器設定診断結果を予め取得して記憶しておく構成としたが、他の方法によって予め機器設定診断結果を記憶装置に記憶させ、システム診断手段１３０を有しない構成としてもよい。以上の動作のように、予め機器設定診断結果が記憶装置に記憶されているので、空気調和システムに対して、速やかに機器設定診断結果を空気調和システムの構成と関連付けて表示することができる。
【０１０６】
実施の形態６．
（空気調和システム診断装置１００の構成）
実施の形態１〜実施の形態５においては、システム診断手段１３０が単一の種類の不具合を検出した場合の動作について述べたが、システム診断手段１３０が複数の種類の不具合を検出した場合に、診断結果重畳図生成手段１７０は、検出されたすべての不具合を重畳して表示するシステム系統図を生成するものとしてもよい。以下、実施の形態１に係る空気調和システム診断装置１００と相違する点を中心に説明する。
【０１０７】
本実施の形態においては、空気調和システム診断装置１００は、運転情報取得手段１２０に加えて、実施の形態２において説明した通信電文取得手段１２１を備えている。また、システム診断手段１３０は、冷凍サイクル解析手段１３１に加えて、実施の形態２において説明した通信電文解析手段１３２、及び、実施の形態４において説明したシステム構成解析手段１３４を備えている。さらに、空気調和システム診断装置１００は、実施の形態４において説明した事前システム系統記憶手段１９０を備えている。
【０１０８】
（空気調和システム診断装置１００の動作）
図１５は、本発明の実施の形態６に係る空気調和システム診断装置１００の表示パネル１８１に表示され、複数の種類の不具合を重畳して示したシステム系統図を示す図である。
冷凍サイクル解析手段１３１は、実施の形態１において説明したように冷凍サイクル診断結果を導出し、通信電文解析手段１３２は、実施の形態２において説明したようにネットワーク診断結果を導出し、そして、システム構成解析手段１３４は、実施の形態４において説明したようにシステム構成診断結果を導出する。図１５で示されるように、診断結果重畳図生成手段１７０は、いずれの不具合も検出されていない場合のシステム系統図を最小の描画要素として、冷凍サイクル診断結果、ネットワーク診断結果及びシステム構成診断結果のいずれかに不具合が検出されている場合に、その不具合を表す情報を追加の描画要素として重畳してシステム系統図を生成する。
なお、図１５は、システム系統図の例を示すものであり、これによって限定されるものではない。
【０１０９】
（実施の形態６における効果）
以上のような構成及び動作によれば、空気調和システムに複数種類の不具合が検出された場合に、各々の不具合に対応する追加の描画要素を内包したシステム系統図を生成することで、複数の種類の不具合とシステム構成との関連を容易に視認することができる。
【０１１０】
なお、本実施の形態においては、システム診断手段１３０は、冷凍サイクル解析手段１３１、通信電文解析手段１３２及びシステム構成解析手段１３４を備える構成としているが、これに、限られるものではなく、さらに、実施の形態３において説明した通信波形取得手段１２２及び通信波形解析手段１３３、及び、実施の形態５において説明した機器設定解析手段１３５を備える構成としてもよく、これらのうちいずれか一部を備える構成としてもよい。
また、本実施の形態においては、診断結果重畳図生成手段１７０は、システム診断手段１３０が検出した複数の種類の不具合のすべてを表示したシステム系統図を生成する動作としているが、これに限られるものではなく、ユーザーによって選択された一部の種類の不具合にのみが表示されるシステム系統図を生成する動作としてもよい。これによって、不具合の種類の増加に伴うシステム系統図の描画要素の増加に対して、ユーザーが重視する不具合についてのみの表示に制限することによって、システム系統図の煩雑さを軽減し、不具合とシステム構成との関連を容易に視認することができる。
【０１１１】
実施の形態７．
図１６は、本発明の実施の形態７に係る空気調和システム診断結果表示装置３００の構成を示すブロック図である。
【０１１２】
（空気調和システム診断結果表示装置３００の構成）
図１６で示されるように、空気調和システム診断結果表示装置３００は、システム診断結果保持手段３１０、診断結果重畳図生成手段１７０及び表示器１８０から構成される。この表示器１８０は、後述する図１７で示されるように表示パネル１８１を備えている。
【０１１３】
（空気調和システム診断結果表示装置３００の動作）
図１７は、本発明の実施の形態７に係る空気調和システム診断結果表示装置３００の表示パネル１８１に表示されるシステム系統図を示す図の例である。
システム診断結果保持手段３１０は、診断対象とする空気調和システムの診断結果を保持しており、その診断結果を診断結果重畳図生成手段１７０に通知する。
ここで、診断結果とは、実施の形態１において説明した冷凍サイクル解析手段１３１が導出する冷凍サイクル診断結果、実施の形態２において説明した通信電文解析手段１３２及び実施の形態３において説明した通信波形解析手段１３３が導出するネットワーク診断結果、実施の形態４において説明したシステム構成解析手段１３４が導出するシステム構成診断結果、又は、実施の形態５において説明した機器設定解析手段１３５が導出する機器設定診断結果等であり、システム診断結果保持手段３１０が、上記の解析手段から上記の診断結果を取得し保持するものとすればよい。
なお、診断結果としては、上記のものに限られるものではなく、例えば、空気調和システムを構成する各機器が不具合を診断する機能を持つ場合には、通信手段を介してそれを取得するものとしてもよく、事前の上記の診断結果を記憶した記憶装置を備え、その記憶装置から取得するものとしてもよく、又は、ユーザーによるシステム設置情報等の入力を可能とする入力手段を備え、その入力手段から取得するものとしてもよい。
【０１１４】
診断結果重畳図生成手段１７０は、システム診断結果保持手段３１０が保持する診断結果に基づいて、空気調和システムのシステム系統図を生成し、そのシステム系統図に対して、診断結果と関係する情報を強調するように重畳して表示器１８０に出力する。
【０１１５】
表示器１８０は、診断結果重畳図生成手段１７０が出力した診断結果の内容が重畳されたシステム系統図を表示パネル１８１に表示する。このシステム系統図は、例えば、図１７で示されるように、各機器の建物内での位置を表す図でもよく、室外機は屋上、そして、室内機は建物内といった機器位置の概略を示した図とすればよい。図１７においては、建物を示す建物表示部２７０における屋上部分には、室外機を示す室外機アイコン２１０、建物内の各階部分には、室内機を示す室内機アイコン２２０及びリモコンを示すリモコンアイコン２４０が表示されている。
なお、図１７は、システム系統図の例を示す図であるので、システム系統図の表示のレイアウトを限定するものではなく、例えば、診断結果に応じて、各機器を示すアイコンを建物の階ごと又は部屋ごとといったように表示の粒度を変えることによって、その診断結果に適したシステム系統図を生成するものとしてもよい。
また、診断結果重畳図生成手段１７０は、図１７に係るようなシステム系統図を生成するものとしたが、これに限られるものではなく、広く診断結果に関連する情報を強調して空気調和システムを表現する模式図、例えば、図１７における各機器の接続線を除去し、各機器の配置を示す機器配置図等を生成するものとしてもよい。
【０１１６】
（実施の形態７における効果）
以上のような構成及び動作によって、空気調和システムのシステム系統図を、空気調和システムの診断結果に合わせて生成し、その診断結果を重畳して表示することで、空気調和システムの診断結果とシステム構成との関連を容易に視認することができる。
また、これによって、速やかに修繕等の対応をとることができ、トラブルを早期に解決できる。
【産業上の利用可能性】
【０１１７】
本発明の活用例として、空調機器及び照明機器を含むビル内設備管理システムの機器運転異常解析ツールが挙げられる。空調機器の冷凍サイクル及び各機器間のネットワークにおける空気調和システムの不具合を分かりやすく表示できるため、例えば、空調機器の経年劣化を初めとする不具合を早期に発見し、対処することができる。
【符号の説明】
【０１１８】
１０  空気調和機、１０ａ  室外機、１０ｂ  室内機  ２０  ネットワーク、３０  通信手段、３１  運転情報生成手段、３１ａ  運転情報、３２  機器種別、３３  通信先機器リスト、１００  空気調和システム診断装置、１１０  通信手段、１２０  運転情報取得手段、１２１  通信電文取得手段、１２２  通信波形取得手段、１３０  システム診断手段、１３１  冷凍サイクル解析手段、１３１ａ  冷凍サイクル解析ルール、１３２  通信電文解析手段、１３２ａ  通信電文解析ルール、１３３  通信波形解析手段、１３３ａ  通信波形解析ルール、１３４  システム構成解析手段、１３４ａ  システム構成解析ルール、１３５  機器設定解析手段、１３５ａ  機器設定解析ルール、１４０  機器種別認識手段、１５０  通信リスト生成手段、１６０  システム系統分析手段、１６０ａ  システム系統分析ルール、１７０  診断結果重畳図生成手段、１７０ａ  機器間主要接続決定ルール、１７０ｂ  診断結果対応システム系統図生成ルール、１８０  表示器、１８１  表示パネル、１９０  事前システム系統記憶手段、１９０ａ  事前システム系統情報、２１０、２１１  室外機アイコン、２１５  冷媒不足表示部、２２０  室内機アイコン、２２１  事前システム系統情報機器アイコン、２２２  システム系統情報機器アイコン、２２３  欠落ＩＤアイコン、２３０  冷媒分流装置アイコン、２４０  リモコンアイコン、２５０、２５１、２５１ａ  接続線、２５２  ネットワーク異常線、２６０  ＩＤ表示部、２７０  建物表示部、３００  空気調和システム診断結果表示装置、３１０  システム診断結果保持手段、４００、４０１  正常テンプレート、４０２、４０３  異常テンプレート。
【図１】
2010143340.tif 000003
【図２】
2010143340.tif 000004
【図３】
2010143340.tif 000005
【図４】
2010143340.tif 000006
【図５】
2010143340.tif 000007
【図６】
2010143340.tif 000008
【図７】
2010143340.tif 000009
【図８】
2010143340.tif 000010
【図９】
2010143340.tif 000011
【図１０】
2010143340.tif 000012
【図１１】
2010143340.tif 000013
【図１２】
2010143340.tif 000014
【図１３】
2010143340.tif 000015
【図１４】
2010143340.tif 000016
【図１５】
2010143340.tif 000017
【図１６】
2010143340.tif 000018
【図１７】
2010143340.tif 000019
【国際調査報告】
2010143340.tif 000020
2010143340.tif 000021
2010143340.tif 000022
2010143340.tif 000023